(57)【要約】【課題】一台で形状やサイズの異なる複数種類の自動車内装部材を配置可能な受け治具を提供する。【解決手段】自動車内装部材用受け治具１０は、内装部材が配置される配置面２２と、前記配置面２２から突出及び収納可能とされた可動配置部４１とを備え、前記可動配置部４１を前進後退手段５１によって前進及び後退可能とした。この受け治具１０によれば、標準の内装部材については、前記可動配置部４１を前記前進後退手段５１による後退によって収納した状態で使用し、それに対して標準サイズより大きいあるいは部分的に突出した形状の内装部材については、前記可動配置部４１を前記前進後退手段５１による前進によって突出させた状態で使用することができ、一台の受け治具１０を複数種類の内装部材に対して使用可能となる。【選択図】図３
2005153120.tif 000002
【特許請求の範囲】
【請求項１】
自動車の内装部材が配置される配置面と、前記配置面から突出及び収納可能とされて前記内装部材の一部が配置される可動配置部とを備えることを特徴とする自動車の内装部材用受け治具。
【請求項２】
前記可動配置部が前進後退手段による前進及び後退によって前記突出及び収納可能とされていることを特徴とする自動車の内装部材用受け治具。
【発明の詳細な説明】
【技術分野】
【０００１】
本発明は、成形天井等の自動車の内装部材用受け治具に関する。
【背景技術】
【０００２】
自動車の天井には内装部材として成形天井が取り付けられている。前記成形天井は、通常合成樹脂製等の基材に表皮材が積層されたものであり、成形後に一旦受け治具に配置されて補強用ブラケットや固定部品あるいはダクト等の部品の取付作業、及びその他の必要な後加工が行われ、その後に自動車の天井に取り付けられる。
【０００３】
しかし、前記成形天井は、その概略を示す図４の成形天井６０や図５の成形天井７０のように、自動車のグレード等によって部分的に形状やサイズが相違している。例えば、中央部が外方へ膨らんでいたり、サンルーフ用に開口していたり、後部の横幅が大になっていたり等である。そのため、従来では、成形天井の形状やサイズ等毎に専用の受け治具を用意して、前記成形天井に対する部品取付作業や後加工を行っており、受け治具に対する費用が嵩む問題や、多種類の受け治具に対する保管場所確保の問題や管理の問題がある。また、前記成形天井以外の内装部材、例えばドアトリムや他の内装パネル等においても、受け治具に関して同様の問題がる。
【特許文献１】特開平８−４７９６９号公報
【特許文献２】特開２０００−１５３５５５号公報
【発明の開示】
【発明が解決しようとする課題】
【０００４】
本発明はかかる点に鑑みなされたもので、形状やサイズ等の異なる複数種類の自動車の内装部材に、一台で対応可能な受け治具を提供する。
【課題を解決するための手段】
【０００５】
本発明は、自動車の内装部材が配置される配置面と、前記配置面から突出及び収納可能とされて前記内装部材の一部が配置される可動配置部とを備えることを特徴とする自動車の内装部材用受け治具に係る。また、前記可動配置部が前進後退手段による前進及び後退によって前記突出及び後退可能とされていることを特徴とする。
【発明の効果】
【０００６】
本発明の受け治具によれば、配置面から突出及び収納可能な可動配置部を備えるため、サイズや形状の異なる内装部材に対して、前記可動配置部を突出あるいは収納することによって対応することができる。このように一種類の受け治具により複数種類の内装部材に対応することができるため、受け治具の種類を減らすことができ、受け治具に対する費用を削減できると共に、複数種類の受け治具を保管するための場所に関する問題や管理作業の問題を解決することができる。さらに、前記可動配置部を前進後退手段による前進及び後退によって前記突出及び収納を行うようにすれば、前記可動配置部の突出及び後退を容易に行うことができる。
【発明を実施するための最良の形態】
【０００７】
図１は本発明の一実施例の受け治具について可動配置部の突出状態を示す斜視図、図２は同受け治具について可動配置部の収納状態を示す斜視図、図３は図１のＡ−Ａ断面図である。
【０００８】
図１〜図３に示す受け治具１０は、自動車の成形天井に各種部品の取付作業を行ったり、その他の必要な後加工を行ったりする際に成形天井を保持するための成形天井用のもので、ベース部１１、外殻部２１、可動配置部４１及び前進後退手段５１を備える。
【０００９】
前記ベース部１１は、前記受け治具１０の底部を構成するもので、本実施例では金属板あるいは木製板等の板状部材からなる。前記ベース部１１の大きさは、前記外殻部２１を支持できる大きさとされ、本実施例では前記外殻部２１と平面サイズが略同じサイズからなる。
【００１０】
前記外殻部２１は、下面が開口した箱状からなり、前記ベース部１１の上面に被せられてネジ等の固定手段で前記ベース部１１に固定される。前記、外殻部２１の外面は前記自動車の成形天井が配置される配置面２２とされる。前記配置面２２は、上側配置面２３と前記上側配置面２３の四方の辺から下方へ屈曲している側部配置面２６とで構成される。本実施例における上側配置面２３は、前記受け治具１０の長さ方向Ｌの中央から前側２４が後側２５よりも一段低くなっている。また、前記側部配置面２６は、前面の側部配置面２７と後面の側部配置面（図示せず）と幅方向Ｗの両側に位置する幅方向の側部配置面３０，３０とで構成される。
【００１１】
前記上側配置面２３の後側２５には、略中央部に上側可動配置部用開口部２３ａが形成されている。本実施例の上側可動配置部用開口部２３ａは、前記受け治具１０の幅方向Ｗに沿って細長い長方形の孔が、前記受け治具１０の長さ方向Ｌに複数個並列に設けられている。また、前記幅方向の側部配置面３０，３０には、後方側に側部可動配置部用開口部３０ａ，３０ａが形成されている。本実施例の側部可動配置部用開口部３０ａ，３０ａは、上下方向に沿って細長い長方形の孔が、前記受け治具１０の長さ方向Ｌに複数個並列に設けられている。
【００１２】
前記可動配置部４１は、本実施例では前記外殻部２１の上側配置面２３から突出及び後退可能な上側可動配置部４２と、前記幅方向の側部配置面３０，３０から突出及び後退可能な側部可動配置部４６，４６とよりなる。
【００１３】
前記上側可動配置部４２は、前記上側可動配置部用開口部２３ａに上下スライド可能に挿通されるリブ４３が、前記上側可動配置部用開口部２３ａの数に対応する複数個、上側基板４４の上面に突設されたもので構成される。前記上側基板４４は、前記上側可動配置部用開口部２３ａが形成されている部分における前記外殻２１の内側に配置される。
【００１４】
前記側部可動配置部４６，４６は、前記側部可動配置部用開口部３０ａ，３０ａに水平方向へスライド可能に挿通されるリブ４７，４７が、前記側部可動配置部用開口部３０ａ，３０ａの数に対応する複数個、側部基板４８，４８の前面に突設されたもので構成される。前記側部基板４８，４８は、前記側部可動配置部用開口部３０ａ，３０ａが形成されている部分における前記外殻２１の内側に配置される。
【００１５】
前記前進後退手段５１は、本実施例では上側前進後退手段５３と側部前進後退手段５７，５７とよりなり、何れもエアで作動部材５５、５９が前進後退するシリンダ装置からなる。また、前記上側前進後退手段５３と前記側部前進後退手段５７，５７は、切り換えスイッチ（図示せず）によって、それぞれ前進と後退が切り換えられる。前記上側前進後退手段５３は、前記ベース部１１の内面に設置された上側用固定台座部１５に上向きに取り付けられ、前記作動部材５５の先端が前記上側可動配置部４２の上側基板４４の下面に固定される。それに対して前記側部前進後退手段５７，５７は、前記ベース部１１の内面と前記外殻部２１の内面間に設置された側部用固定台座部１７，１７にそれぞれ前記側部可動配置部４６，４６の側部基板４８，４８へ向けて取り付けられ、前記作動部材５９，５９の先端が前記側部基板４８，４８の後面（前記リブ４７，４７とは反対側の面）に固定される。
【００１６】
前記上側可動配置部４２及び前記側部可動配置部４６，４６は、前記上側前進後退手段５３及び前記側部前進後退手段５７，５７による前進によって、図１のように、前記上側配置面２３及び前記幅方向の側部配置面３０，３０からそれぞれ突出し、また前記上側前進後退手段５３及び前記側部前進後退手段５７，５７による後退によって、図２のようにそれぞれ前記外殻２１内に収納される。前記上側可動配置部４２及び前記側部可動配置部４６，４６の前記上側配置面２３及び前記幅方向の前記側部配置面３０，３０からの突出量は、前記受け治具１０に配置される成形天井（内装部材）のサイズ等によって適宜決定される。
【００１７】
なお、本実施例では、前記可動配置部における突出及び後退する部分をリブで構成したが、リブに限定されるものではなく、例えば針金や棒状部材で構成してもよい。また、前記可動配置部における突出及び後退する部分を板状体で構成し、前記板状体の外形と略等しい大きさの可動配置部用開口部を前記外殻に形成してもよい。さらにまた、前記前進後退手段はシリンダ装置に限定されるものではなく、例えばリンク機構によるものでもよい。また、前記可動配置部は、受け治具の上面と側面の何れか一方のみに設けてもよい。また、本実施例では、成形天井用受け治具について示したが、本発明は、それに限られるものではなく、他の自動車内装部材にも適用可能である。
【図面の簡単な説明】
【００１８】
【図１】本発明の一実施例の受け治具について可動配置部の突出状態を示す斜視図である。
【図２】同受け治具について可動配置部の収納状態を示す斜視図である。
【図３】図１のＡ−Ａ断面図である。
【図４】成形天井の一例を示す概略斜視図である。
【図５】成形天井の他の例を示す概略斜視図である。
【符号の説明】
【００１９】
１０  受け治具
１１  ベース部
２１  外殻部
２２  配置面
２３  上側配置面
２６  側部配置面
４１  可動配置部
４２  上側可動配置部
４６  側部可動配置部
５１  前進後退手段
５３  上側前進後退手段
５７  側部前進後退手段
【図１】
2005153120.tif 000003
【図２】
2005153120.tif 000004
【図３】
2005153120.tif 000005
【図４】
2005153120.tif 000006
【図５】
2005153120.tif 000007